(57)【要約】本発明の目的は、制御が簡単であり、製造が容易であり、故障が少なく、かつ、製造価格が低価である自動寝返り支援装置を提供することにある。  本発明の自動寝返り支援装置は、一つの支持袋１を有し、前記支持袋１の空気室１ａに所定時間ごとに間欠的に空気を給気させる。これにより、本発明の自動寝返り支援装置は、前記支持袋１の上に寝る人Ｐの右側半身及び左側半身の一つの体位を変えて、前記支持袋１の上に寝る人Ｐの寝返りを自動的に支援する。
2019235167.tif 000002
【特許請求の範囲】
【請求項１】
非通気性を有し空気室を規定している空気室内周面と給気孔を規定する給気内周面と排気孔を規定している排気内周面とを有している支持袋と、
前記支持袋の前記空気室に前記給気孔を介して空気を供給して前記支持袋を膨張させる給気装置と、
前記給気装置を制御する給気制御装置と、を具備し、
前記給気制御装置は、前記給気装置に所定時間ごとに間欠的に給気を開始させ前記支持袋の上に寝る人の右側半身及び左側半身の一つを押し上げて前記支持袋の上に寝る人の右側半身及び左側半身の一つを上方に変化させ、前記給気装置に前記給気を停止させ前記支持袋の上に寝る人の右側半身及び左側半身の一つの押圧力によって前記排気孔を介して前記空気室の空気を排気させて前記支持袋の上に寝る人の右側半身及び左側半身の一つの位置を下方に変化させる自動寝返り支援装置。
【請求項２】
請求項１の自動寝返り支援装置において、
前記支持袋の側部に連結されている傾斜支持部材を具備し、
前記傾斜支持部材は前記支持袋の前記側部に連結されている側部と前記支持袋との連結側部から離れるにしたがって高くなる傾斜支持面とを有する自動寝返り支援装置。
【請求項３】
請求項２の自動寝返り支援装置において、
前記支持袋の前記空気室から空気を排気して前記支持袋を収縮させる排気装置を具備する自動寝返り支援装置。
【発明の詳細な説明】
【技術分野】
【０００１】
本発明は、人の床ずれを有効に防止するために人の寝返りを自動的に支援する自動寝返り支援装置に関する。
【背景技術】
【０００２】
従来の自動寝返り支援装置又は自動体位変換装置として、実開昭５８―８９０２８号公報に記載されたものが知られている。
この従来の自動寝返り支援装置は、第１の支持袋と第２の支持袋と給排気装置と給排気制御装置を具備している。前記第１の支持袋は、非通気性を有し、内部に第１の空気室を規定している第１の空気室内周面と第１の給排気孔を規定している第１の給排気内周面を有している。
前記第２の支持袋は、前記第１の支持袋の側部に連結されている。前記第２の支持袋は、非通気性を有し、第２の空気室を規定している第２の空気室内周面と第２の給排気孔を規定している第２の給排気内周面を有している。
前記給排気装置は、前記第１の空気室及び前記第２の空気室の一つに前記第１の給排気孔及び前記第２の給排気孔の一つを介して交互に給気及び排気の一つを実施する。前記給排気制御装置は、前記給排気装置を制御する。
この従来の自動寝返り支援装置は、前記第１の空気室及び前記第２の空気室の一つに空気を給気し前記第１の空気室及び前記第２の空気室の一つから前記空気を排気する動作を交互に繰り返して、前記第１の空気室及び前記第２の空気室の一つの空気量を変化させ、前記第１の支持袋及び前記第２の支持袋の一つの上に寝る人の右側半身及び左側半身の一つの体位を変化させる。
【先行技術文献】
【特許文献】
【０００３】
【特許文献１】実開昭５８−８９０２８号公報
【発明の概要】
【発明が解決しようとする課題】
【０００４】
この従来の自動寝返り支援装置は、前記第１の空気室及び前記第２の空気室の一つに空気を給気し前記第１の空気室及び前記第２の空気室の一つから前記空気を排気する動作を交互に繰り返すから、制御が複雑であり、製造が困難であり、故障し易く、かつ、製造価格が高価であるという問題がある。
本発明の目的は、制御が簡単であり、製造が容易であり、故障が少なく、かつ、製造価格が低価である自動寝返り支援装置を提供することにある。
【課題を解決するための手段】
【０００５】
本発明は、非通気性を有し空気室を規定している空気室内周面と給気孔を規定する給気内周面と排気孔を規定している排気内周面とを有している支持袋と、前記支持袋の前記空気室に前記給気孔を介して空気を供給して前記支持袋を膨張させる給気装置と、前記給気装置を制御する給気制御装置と、を具備し、前記給気制御装置は、前記給気装置に所定時間ごとに間欠的に給気を開始させ前記支持袋の上に寝る人の右側半身及び左側半身の一つを押し上げて前記支持袋の上に寝る人の右側半身及び左側半身の一つを上方に変化させ、前記給気装置に前記給気を停止させ前記支持袋の上に寝る人の右側半身及び左側半身の一つの押圧力によって前記排気孔を介して前記空気室の空気を排気させる。
【発明の効果】
【０００６】
本発明は、一つの支持袋を有し、前記支持袋の空気室に所定時間ごとに間欠的に空気を給気するから、制御が簡単であり、製造が容易であり、故障が少なく、かつ、製造価格が低価である自動寝返り支援装置を提供することができる。
【図面の簡単な説明】
【０００７】
図１は、本発明の実施例１の自動寝返り支援装置を示す一部切欠正面図である。
図２は、本発明の実施例１の自動寝返り支援装置を示す一部切欠平面図である。
図３は、本発明の実施例１の自動寝返り支援装置の一部を切断し拡大して示す一部切欠側面図ある。
図４は、本発明の実施例１の自寝返り支援装置の給気装置及び給気制御装置を示すブロック図である。
図５は、本発明の実施例３の自動寝返り支援装置を示す一部切欠正面図である。
図６は、本発明の実施例３の自動寝返り支援装置を示す一部切欠平面図である。
図７は、本発明の実施例３の自動寝返り支援装置の一部を切断し拡大して示す一部切欠側面図ある。
図８は、本発明の実施例３の自動寝返り支援装置の給排気装置及び給排気制御装置を示すブロック図である。
【発明を実施するための形態】
【０００８】
本発明は、一つの支持袋を有し、前記支持袋の空気室に所定時間ごとに間欠的に給気させる。
【実施例１】
【０００９】
次に、本発明の実施例１の自動寝返り支援装置を図面に基づいて詳細に説明する。
図１乃至図４に示すように、本発明の実施例１の自動寝返り支援装置は、支持袋１と給気装置２と給気制御装置３と傾斜支持部材４とを具備している。前記支持袋１の側部に前記傾斜支持部材４が接着剤等の連結手段により連結されている。前記支持袋１及び前記傾斜支持部材４は、ベッド等の上に載置される。
前記支持袋１は、膨張及び収縮が可能である。前記支持袋１は、非通気性を有している。前記支持袋１は、例えば、合成樹脂及びゴムの一つの部材により形成されている。前記支持袋１は、空気室１ａを規定している空気室内周面１ｂを有している。また、前記支持袋１は、給気孔１ｃを規定する給気内周面１ｄと、排気孔１ｅを規定している排気内周面１ｆとを有している。前記排気孔１ｅは、前記給気孔１ｃより小さい。前記支持袋１は、上部に可動支持面１ｇを有している。前記給気孔１ｃ及び前記排気孔１ｅは、前記空気室１ａ及び前記支持袋１の周囲の外部と連通している。
前記支持袋１の前記給気孔１ｃの外側部分には、前記給気装置２が設けられている。前記給気装置２は、固定手段（図示せず）により前記支持袋１の外側部分に固定されている。前記給気装置２は、前記支持袋１の前記空気室１ａに前記給気孔１ｃを介して空気を給気する。前記支持袋１は、前記給気装置２により前記給気室１ａに前記給気孔１ｃを介して前記空気が給気されて膨張される。
次に、前記給気装置２の前記空気の給気は停止される。この後に、前記支持袋１の前記空気室１ａの前記空気は、前記支持袋１の上に寝る人Ｐの右側半身及び左側半身の一つの押圧力によって前記排気孔１ｅを介して排気され、前記支持袋１は収縮される。
前記給気装置２に給気制御装置３が連結されている。前記給気制御装置３は、前記給気装置２を制御する。前記給気制御装置３は、例えばタイマーで構成されている。
一定時間当たりにおける前記給気装置２により前記給気孔１ｃを介して前記支持袋１の前記空気室１ａに給気される空気の給気量は、前記一定時間当たりにおける前記支持袋１の前記空気室１ａから前記排気孔１ｅを介して排気される空気の排気量より大きい。
このため、前記給気装置２による前記空気の給気の時には、前記支持袋１の前記空気室１には前記空気が貯まって前記支持袋１を膨張させる。前記支持袋１に前記空気が給気され前記支持袋１が膨張され、前記傾斜支持部材４との連結側部から離れた前記支持袋１の前記可動支持面１ｇは上昇される。
前記支持袋１の前記排気孔１ｅの外側部分には、排気量調整装置５が設けられている。前記排気量調整装置５は、固定手段（図示せず）により前記支持袋１の外側部分に固定されている。前記排気量調整装置５は、手動操作により前記排気孔１ｅ及び前記支持袋１の外部と連通している排気調整孔（図示せず）の大きさが変化される。前記排気量調整装置５は、前記排気調整孔の大きさの変化により前記排気孔１ｅからの一定時間当たりの排気量を調整する。
前記排気量調整装置５の前記排気調整孔の外側部分に、排気管５ａが設けられている。前記排気量調整装置５の前記排気調整孔から排気される空気は、前記排気管５ａを介して前記支持袋１の外部に排気される。
前記支持袋１の上に寝る人Ｐの体重が異なる場合には、前記支持袋１の上に寝る人Ｐの右側半身及び左側半身の一つの押圧力が異なる。この場合には、前記排気量調整装置５は、前記排気調整孔の大きさを変えることにより前記排気孔１ｅを介して前記支持袋１の前記空気室１ａの前記空気を排気させる時間を調整する。
前記傾斜支持部材４は、前記支持袋１の前記側部に連結されている側部を有している。また、前記傾斜支持部材４は、前記支持袋１との前記連結側部から離れるにしたがって高くなる傾斜支持面４ａを有している。前記傾斜支持部材４の前記傾斜支持面４ａの傾斜角度は、前記傾斜支持部材４の底面４ｂに対し２０度から４０度までの範囲内の角度であることが望ましい。前記傾斜支持部材４は、例えば、合成樹脂等で形成されている。
前記支持袋１及び前記傾斜支持部材４の上には、柔軟性シート６が載置される。前記柔軟性シート６の上に、人Ｐは右側半身及び左側半身の一つが前記支持袋１及び前記傾斜支持部材４の一つの上に位置するように寝かされる。
前記給気制御装置３は前記給気装置２に所定時間ごとに間欠的に前記空気を給気させる。すなわち、前記給気制御装置３は、前記給気装置２に前記所定時間だけ前記空気を給気させた後に前記給気装置２の前記空気の給気を所定時間だけ停止させる動作を繰り返す。例えば、前記給気制御装置３は、前記給気装置２に１時間だけ前記空気の給気をさせた後に前記給気装置２の前記給気を１時間だけ停止させる動作を繰り返す。
前記給気制御装置３は、前記給気装置２に前記所定時間ごとに間欠的に前記空気を給気させて前記支持袋１の上に寝る人Ｐの右側半身及び左側半身の一つを押し上げて右側半身及び左側半身の一つの体位を上方に変化させる。この時に、図１の矢印方向Ａに、前記支持袋１の前記可動支持面１ｇは上昇される。
次に、前記給気制御装置３は、前記給気装置２に前記給気を停止させて前記支持袋１の上に寝る人Ｐの右側半身及び左側半身の一つの押圧力によって前記排気孔１ｅを介して前記支持袋１の前記空気室１ａから前記空気を排気させる。これにより、前記支持袋１の上に寝る人Ｐの右側半身及び左側半身の一つの体位は下方に変化される。この時に、図１の矢印方向Ｂに、前記支持袋１の前記可動支持面１ｇは下降される。
このように、前記給気制御装置３、前記給気装置２に前記所定時間ごとに間欠的に前記空気を給気させ前記支持袋１の上に寝る人Ｐの右側半身及び左側半身の一つの体位を変えて、前記支持袋１の上に寝る人Ｐの寝返りを自動的に支援する。
なお、実施例１において、前記排気量調整装置５が削除されてもよい。また、実施例１において、前記排気量調整装置５が削除され、前記支持袋１の前記排気孔１ｅの外側部分に排気装置（図示せず）が設けられてもよい。この排気装置には、排気制御装置（図示せず）が接続され、この排気制御装置は前記排気装置に前記給気装置２の前記給気が停止されている時に排気させる。
【実施例２】
【００１０】
本発明の実施例２の自動寝返り支援装置は、本発明の実施例１の自動寝返り支援装置において前記傾斜支持部材４が削除されている。すなわち、本発明の実施例２の自動寝返り支援装置は、前記支持袋１と前記給気装置２と前記給気制御装置３とを具備する。
【実施例３】
【００１１】
次に、本発明の実施例３の自動寝返り支援装置を図面に基づいて詳細に説明する。
図５乃至図８に示すように、本発明の実施例３の自動寝返り支援装置は、支持袋１１と給排気装置１２と給排気制御装置１３と前記傾斜支持部材４とを具備している。前記支持袋１１の側部に前記傾斜支持部材４が接着剤等の連結手段により連結されている。前記支持袋１１及び前記傾斜支持部材４は、ベッド等の上に載置される。
前記支持袋１１は、膨張及び収縮が可能である。前記支持袋１１は、非通気性を有している。前記支持袋１１は、例えば、合成樹脂及びゴムの部材の一つで形成されている。前記支持袋１１は、空気室１１ａを規定している空気室内周面１１ｂを有している。また、前記支持袋１１は、給排気孔１１ｃを規定する給排気内周面１１ｄを有している。前記支持袋１１は、上部に可動支持面１１ｅを有している。前記給排気孔１１ｃは、前記空気室１１ａ及び前記支持袋１１の周囲の外部と連通している。
前記支持袋１１の前記給排気孔１１ｃの外側部分には、前記給排気装置１２が設けられている。前記給排気装置１２は、固定手段（図示せず）により前記支持袋１１の外側部分に固定されている。前記給排気装置１２は、前記支持袋１１の前記空気室１１ａに前記給排気孔１１ｃを介して空気を給気する。また、前記給排気装置１２は、前記支持袋１１の前記空気室１１ａから前記給排気孔１１ｃを介して前記空気を排気する。
前記給排気装置１２は前記空気室１１ａに前記給排気孔１１ｃを介して前記空気を給気して前記支持袋１１を膨張させる。また、前記給排気装置１２は前記空気室１１ａから前記給排気孔１１ｃを介して前記空気を排気して前記支持袋１１を収縮させる。この時に、前記支持袋１１は、前記支持袋１１の上に寝る人Ｐの右側半身及び左側半身の一つの押圧力も加わって収縮される。
前記給排気装置１２に給排気制御装置１３が連結されている。前記給排気制御装置１３は、前記給排気装置１２を制御する。前記給排気制御装置１３は、例えば、タイマーで構成されている。
前記傾斜支持部材４は、前記支持袋１１の前記側部に連結されている側部を有している。前記傾斜支持面４ａは、前記支持袋１１との連結側部から離れるにしたがって高くなる。
前記支持袋１１及び前記傾斜支持部材４の上には、前記柔軟性シート６が載置される。前記柔軟性シート６の上に、人Ｐは右側半身及び左側半身の一つが前記支持袋１１及び前記傾斜支持部材４の一つの上に位置するように寝かされる。
前記給排気制御装置１３は、前記給排気装置１２に前記空気室１１ａに前記空気を給気する給気時間と前記空気室１１ａから前記空気を排気する排気時間を交互に設定させる。例えば、前記給排気制御装置１３は、前記前記給排気装置１２に１時間の前記給気時間と１時間の前記排気時間とを交互に設定させる。
前記給排気制御装置１３は、前記給排気装置１２に給気させ前記支持袋１１を膨張させて前記支持袋１１の上に寝る人Ｐの右側半身及び左側半身の一つを押し上げて右側半身及び左側半身の一つの体位を上方に変化させる。この時に、図５の矢印方向Ａに、前記支持袋１１の前記可動支持面１１ｅは上昇される。
次に、前記給気制御装置１３は、前記給排気装置１２に前記支持袋１１の前記空気室１１ａの前記空気を排気させて前記支持袋１１の上に寝る人Ｐの右側半身及び左側半身の一つの体位を下方に変化させる。この時に、図５の矢印方向Ｂに、前記支持袋１１の前記可動支持面１１ｅは下降される。
このように、前記給排気制御装置１３は、前記給排気装置１２に前記給気時間と前記排気時間を交互に設定させ前記支持袋１１の上に寝る人Ｐの右側半身及び左側半身の一つの体位を変えて、前記支持袋１１の上に寝る人Ｐの寝返りを自動的に支援する。
【符号の説明】
【００１２】
１      支持袋
１ａ    空気室
１ｃ    給気孔
１ｅ    排気孔
２      給気装置
３      給気制御装置
４      傾斜支持部材
４ａ    傾斜支持面
１１    支持袋
１１ａ  空気室
１１ｃ  給排気孔
１２    給排気装置
１３    給排気制御装置
【図１】
2019235167.tif 000003
【図２】
2019235167.tif 000004
【図３】
2019235167.tif 000005
【図４】
2019235167.tif 000006
【図５】
2019235167.tif 000007
【図６】
2019235167.tif 000008
【図７】
2019235167.tif 000009
【図８】
2019235167.tif 000010
【手続補正書】
【提出日】令和1年9月23日(2019.9.23)
【手続補正１】
【補正対象書類名】特許請求の範囲
【補正対象項目名】全文
【補正方法】変更
【補正の内容】
【特許請求の範囲】
【請求項１】
非通気性を有し空気室を規定している空気室内周面と給気孔を規定する給気内周面と排気孔を規定している排気内周面とを有している支持袋と、
前記支持袋の前記空気室に前記給気孔を介して空気を供給して前記支持袋を膨張させる給気装置と、
前記給気装置を制御する給気制御装置と、を具備し、
前記給気制御装置は、前記給気装置に所定時間ごとに間欠的に給気を開始させ前記支持袋の上に寝る人の右側半身及び左側半身の一つを押し上げて前記支持袋の上に寝る人の右側半身及び左側半身の一つを上方に変化させ、前記給気装置に前記給気を停止させ前記支持袋の上に寝る人の右側半身及び左側半身の一つの押圧力によって前記排気孔を介して前記空気室の空気を排気させて前記支持袋の上に寝る人の右側半身及び左側半身の一つの位置を下方に変化させる自動寝返り支援装置。
【請求項２】
請求項１の自動寝返り支援装置において、
前記支持袋に連結されている傾斜支持部材を具備し、
前記傾斜支持部材は、前記支持袋の側部に連結されている側部と、前記支持袋の前記側部から離れるにしたがって高くなる傾斜支持面と、を有する自動寝返り支援装置。
【請求項３】
請求項１及び請求項２の一つの自動寝返り支援装置において、
前記支持袋の前記空気室から空気を排気して前記支持袋を収縮させる排気装置を具備する自動寝返り支援装置。
【請求項４】
請求項１、請求項２及び請求項３の一つの自動寝返り支援装置において、
前記給気内周面と前記排気内周面とは合体されている自動寝返り支援装置。
【国際調査報告】
2019235167.tif 000011
2019235167.tif 000012
2019235167.tif 000013